(57)【特許請求の範囲】
【請求項１】
複数の光データ変調器と、光端面カプラとを有する光送信器を備え、前記複数の光データ変調器の各々が、対応する被データ変調光搬送波を出力するように構成され、前記光端面カプラが、マルチ・モード光ファイバの端面を光スポットのパターンで照明するように前記被データ変調光搬送波を光ビームのパターンに導くように構成される装置であって、
前記光端面カプラは、前記被データ変調光搬送波の各々が前記マルチ・モード光ファイバの１組の正規直交光伝搬モードを励振するように構成され、前記組の前記正規直交光伝搬モードのうちのいくつかが少なからず異なる強度または位相プロファイルを有し、
前記マルチ・モード光ファイバの前記正規直交光伝搬モードの前記組が線形独立である、装置。
【請求項２】
前記光端面カプラは、前記被データ変調光搬送波の各々の光パワーが前記組の前記直交光伝搬モードの全体にわたって実質的に均一に拡散することになるように構成される、請求項１に記載の装置。
【請求項３】
前記光端面カプラは、前記光伝搬モードの各々が、前記光伝搬モードの互いと同じように前記光パワーの少なくとも１／２を受け取るように前記被データ変調光搬送波の少なくとも１つの光パワーを前記光伝搬モードの全体にわたって拡散させるように構成される、請求項２に記載の装置。
【請求項４】
前記光端面カプラが、前記被データ変調光搬送波を受け取るように接続された入力光ファイバと、前記端面を前記光スポットのパターンで照明することができる出力端部とを有するテーパ化ファイバ束を含む、請求項１に記載の装置。
【請求項５】
前記光端面カプラが３Ｄ導波路デバイスを含む、請求項１に記載の装置。
【請求項６】
一連の全光学的に端部接続されたマルチ・モード光ファイバ・スパンを有する全光マルチ・モード・ファイバ・チャネルをさらに含み、前記マルチ・モード光ファイバが、前記一連のものの前記マルチ・モード光ファイバ・スパンのうちの最初のもののセグメントであり、前記一連の前記マルチ・モード光ファイバ・スパンのうちのいくつかが、微分群遅延補償を行うように構築されたハイブリッド光ファイバ・スパンである、請求項１に記載の装置。
【請求項７】
前記全光マルチ・モード・ファイバ・チャネルから受け取った光の測定値の組にＭＩＭＯ処理を実行することによって、前記被データ変調光搬送波で搬送されたデータ・ストリームを評価するように構成される光受信器をさらに含む、請求項６に記載の装置。
【請求項８】
複数の被データ変調光搬送波を並列に送出し、マルチ・モード光ファイバの端面を光スポットのパターンで照明するように構成された光送信器であり、前記光スポットの各々が前記被データ変調光搬送波のうちの対応するものによって形成される、光送信器を備える装置であって、
前記パターンにおいて、各光スポットが、前記マルチ・モード光ファイバにおいて異なる横方向の強度または位相分布を有する１組の正規直交光伝搬モードの全体にわたって、前記被データ変調光搬送波のうちの前記対応するものの光パワーを拡散させるように相対的に配置され、
正規直交光伝搬モードの前記組が線形独立である、装置。
【請求項９】
前記パターンの前記光スポットのサブセットが、円上に配置された中心を有し、前記サブセットの前記光スポットが、前記円上にほぼ等しい円弧離隔を有し、前記サブセットが、３個、５個、７個、または９個の前記光スポットで形成される、請求項８に記載の装置。
【請求項１０】
前記パターンの前記光スポットのサブセットが、円上に配置された中心を有し、前記サブセットの前記光スポットが、前記円上にほぼ等しい円弧離隔を有し、前記光送信器が、前記組の各光伝搬モードが、前記組の前記光伝搬モードの互いと同じように前記被データ変調光搬送波のうちの少なくとも１つのパワーの少なくとも１／２を受け取るように前記被データ変調光搬送波の少なくとも１つのパワーを送出するように構成される、請求項８に記載の装置。
【発明の詳細な説明】
【技術分野】
【０００１】
本出願は、米国仮特許出願第６１／６０８１３９号、第６１／６６９６１２号、および第６１／７０１６４６号の利益を主張する。
【０００２】
本発明は、マルチ・モード光通信のための装置および方法に関する。
【背景技術】
【０００３】
この節は、本発明の理解を深めるのを容易にすることができる態様を紹介する。したがって、この節の記述はこの観点から理解されるべきであり、何が先行技術であり、何が先行技術でないかについての承認として理解されるべきではない。
【０００４】
近年、光伝搬モード多重化が光通信を行うための方法として研究されている。光伝搬モード多重化では、マルチ・モード光ファイバの１組の正規直交光伝搬モードが、光送信器と光受信器との間でデータを搬送する。この組は、異なる横方向強度および／または位相プロファイルをもつ正規直交モードを含む。異なる光伝搬モードは異なるデータ・ストリームを搬送するのに使用することができるので、データ伝送レートがファイバ当たりおよび波長チャネル当たりで見積もられる場合、マルチ・モード光ファイバはシングル・モード光ファイバよりも高いデータ伝送レートをサポートする可能性を有する。
【先行技術文献】
【特許文献】
【０００５】
【特許文献１】米国特許出願公開第２０１１０２４３４９０号
【特許文献２】米国特許出願公開第２０１１０２４３５７４号
【特許文献３】米国特許出願第１３／５３９３７１号
【特許文献４】米国特許出願第１３／６３２０３８号
【特許文献５】米国仮特許出願第６１／６９２７３５号
【特許文献６】米国仮特許出願第第６１／７０１６１３号
【発明の概要】
【課題を解決するための手段】
【０００６】
第１の装置の実施形態は、複数の光データ変調器と、端面カプラとを有する光送信器を含む。光データ変調器の各々は、対応する被データ変調光搬送波を出力するように構成される。光端面カプラは、マルチ・モード光ファイバの端面を光スポットのパターンで照明することができるように被データ変調光搬送波を光ビームのパターンに導くように構成される。光端面カプラは、被データ変調光搬送波の各々がマルチ・モード光ファイバの１組の正規直交光伝搬モードを励振するように構成される。この組の正規直交光伝搬モードのうちのいくつかは、少なからず異なる強度および／または位相プロファイルを有する。
【０００７】
第１の装置のいくつかの実施形態では、光カプラは、被データ変調光搬送波の各々の光パワーがこの組の直交光伝搬モードの全体にわたって実質的に均一に拡散することになるように構成することができる。光カプラは、光伝搬モードの各々が、光伝搬モードの互いと同じように光パワーの少なくとも１／２を受け取るように、被データ変調光搬送波の少なくとも１つの光パワーを光伝搬モードの全体にわたって拡散させるように構成することができる。
【０００８】
第１の装置の任意の実施形態では、光端面カプラは、実質的に平行にするために被データ変調光搬送波の方向を変えるように位置付けられ、向きを定められた１組の反射器をさらに含む自由空間光デバイスとすることができる。
【０００９】
第１の装置の代替実施形態では、光端面カプラは、被データ変調光搬送波を受け取るように接続された入力光ファイバと、光スポットのパターンで端面を照明することができる出力端部とを有するテーパ化ファイバ束を含むことができる。
【００１０】
第１の装置の任意の実施形態では、光端面カプラは、被データ変調搬送波の各々が、異なる角運動量固有値をもつ光伝搬モードのうちの少なくとも３つを実質的に励振するように構成することができる。
【００１１】
第１の装置の任意の実施形態では、光端面カプラは、マルチ・モード光ファイバの軸のまわりの一群の離散的な回転の下で不変な光スポットのパターンを生成するように構成することができる。そのような実施形態では、光スポットは、各群の光スポットが、光ファイバの端面の中心に中心があるパターンを形成するような第１および第２の群に存在することができる。次に、群の一方の光スポットは、群の他方の１つまたは複数の光スポットよりも端面の中心からより大きい距離にある。
【００１２】
第１の装置の任意の実施形態では、第１の装置は、一連の全光学的に端部接続されたマルチ・モード光ファイバ・スパンを有する全光マルチ・モード・ファイバ・チャネルをさらに含むことができる。マルチ・モード光ファイバは、この一連のものの光マルチ・モード・ファイバ・スパンのうちの最初のもののセグメントである。いくつかのそのような実施形態では、この一連のマルチ・モード・ファイバ・スパンのうちのいくつかは、微分群遅延補償を行うように構築されたハイブリッド光ファイバ・スパンとすることができる。いくつかのそのような実施形態は、全光マルチ・モード・ファイバ・チャネルから受け取った光の測定値の組にＭＩＭＯ処理を実行することによって、被データ変調光搬送波で搬送されたデータ・ストリームを評価するように構成される光受信器をさらに含むことができる。
【００１３】
第１の装置のいくつかの実施形態では、光端面カプラは３Ｄ導波路デバイスを含むことができる。
【００１４】
第２の装置の実施形態は、マルチ・モード光ファイバの端面を光スポットのパターンで照明する方法で複数の被データ変調光搬送波を並列に送出するように構成された光送信器を含む。光スポットの各々は、被データ変調光搬送波のうちの対応するものによって形成される。パターンにおいて、各光スポットは、マルチ・モード光ファイバにおいて異なる横方向の強度および／または位相分布を有する１組の正規直交光伝搬モードの全体にわたって、被データ変調光搬送波のうちの対応するものの光パワーを拡散させるように相対的に配置される。
【００１５】
第２の装置のいくつかの実施形態では、サブセットの光スポットが、円上に配置された中心を有する。サブセットの光スポットは、円上にほぼ等しい円弧離隔を有する。いくつかのそのような実施形態では、サブセットは、奇数の光スポット、例えば、３個、５個、７個、または９個の光スポットで形成される。このパターンは、ほぼ円の中心に配置された１つの光スポットを含む。この段落によるいくつかの実施形態では、光スポットの第２のサブセットは、３つ以上の光スポットを含む。第２のサブセットの光スポットは、第２の円に沿って配置された中心を有し、第２の円は、第１の円と同心であり、異なる半径を有する。２つのサブセットは、異なる数の光スポットで形成することができる。
【００１６】
第２の装置の任意の実施形態では、光送信器は、この組の各光伝搬モードが、この組の前記光伝搬モードの互いと同じように前記被データ変調光搬送波のうちの少なくとも１つのパワーの少なくとも１／２を受け取るように被データ変調光搬送波の少なくとも１つのパワーを送出するように構成される。
【００１７】
第２の装置の任意の実施形態では、光送信器は、テーパ化ファイバ束であって、その入力光ファイバで被データ変調光搬送波を受け取るように接続された、テーパ化ファイバ束を含むことができ、受け取った光をその端面から送出することによってパターンを形成するように構成することができる。
【００１８】
第２の装置の代替実施形態では、光カプラは、実質的に平行にするために反射器が被データ変調光搬送波の方向を変える自由空間光デバイスとすることができる。
【００１９】
第２の装置の任意の実施形態では、第２の装置は、全光マルチ・モード・ファイバ・チャネルを形成するように連続的に接続されたマルチ・モード光ファイバの一連のスパンをさらに含むことができる。この一連のマルチ・モード光ファイバの最初のものは、光送信器で形成されたパターンによって照明されるように位置付けられた端面を有する。いくつかのそのような実施形態では、第２の装置は、この一連のマルチ・モード光ファイバの最後のものによって放出される光を受け取るように光学的に接続される光受信器をさらに含むことができ、その光伝搬モードのうちの異なるものによって搬送されたデータ・ストリームを復調するように構成することができる。
【００２０】
第２の装置のいくつかの実施形態では、光送信器は、３Ｄ導波路デバイスであって、その入力光ファイバで被データ変調光搬送波を受け取るように接続され、受け取った光をその端面から送出することによってパターンを形成するように構成される、３Ｄ導波路デバイスを含むことができる。
【図面の簡単な説明】
【００２１】
【図１】マルチ・モード光ファイバ（ＭＭＦ）の一連の伝送スパンを有する光通信システムを示すブロック図である。
【図２】図１の光送信器を概略的に示すブロック図である。
【図３】図２の光送信器の実施形態が、光マルチ・モード・ファイバ通信チャネル、例えば、図１の光ファイバ通信チャネルの第１の伝送スパンのＭＭＦの端面に形成する光スポットのパターンの例を示す図である。
【図４】図１の光送信器のある実施形態が、例えば、ＭＭＦの３つの直線偏光（ＬＰ）モードの全体にわたって、例えば、角運動量固有値０、＋１、および−１を有するＬＰモードの全体にわたって３つの個々の被データ変調光搬送波の光パワーを実質的に均一に拡散させるために使用することができる３つの光スポットのパターンを示す図である。
【図５】図１の光送信器のいくつかの実施形態が、例えば、ＭＭＦの６つのＬＰモードの全体にわたって個々の被データ変調光搬送波の光パワーを実質的に均一に拡散させるために使用することができる６つの光スポットのパターンを示す図である。
【図６Ａ】光端面カプラが、図４の光スポットのパターンに基づいてＭＦＡの正規直交光伝搬モードの混合の全体にわたって３つの別個の被データ変調光搬送波を拡散させる図２の光送信器の一実施形態を示すブロック図である。
【図６Ｂ】図６Ａの光端面カプラの自由空間様式での３つの被データ変調光搬送波の断面のパターンの漸進的変化を示す一続きの断面図である。
【図７】図２の光端面カプラのテーパ化ファイバ束の実施形態の断面図である。
【図８】図２の光端面カプラの一実施形態である３次元（３Ｄ）導波路デバイスの斜め図である。
【発明を実施するための形態】
【００２２】
図および本文において、同様の参照番号は機能的におよび／または構造的に類似の要素を示す。
【００２３】
図において、いくつかの特徴部の相対的寸法は、図中の装置をより明確に示すために誇張されることがある。
【００２４】
本明細書において、様々な実施形態が、図と、発明を実施するための形態とによってより完全に説明される。それにもかかわらず、本発明は様々な形態で具現することができ、図と、発明を実施するための形態とにおいて説明される特定の実施形態に限定されない。
【００２５】
上述の米国仮特許出願第６１／６０８１３９号、第６１／６６９６１２号および第６１／７０１６４６号は、それらの全体が参照により本明細書に組み込まれる。
【００２６】
本明細書において、マルチ・モードおよびシングル・モード光ファイバは、光通信のＣ、Ｌ、および／またはＳ波長帯で光を搬送する軸対称形態をもつ光ファイバを指す。そのような光ファイバの例は、ドープおよび／または非ドープ石英ガラス光コアと光クラッドとで構築することができる。いくつかのそのような光ファイバは、ステップ・インデックス（ｓｔｅｐ−ｉｎｄｅｘ）またはグレーデッド・インデックス（ｇｒａｄｅｄ−ｉｎｄｅｘ）構造を有することができる。そのような光ファイバは、例えば、半径方向屈折率プロファイルが単一ステップである光ファイバ、および例えばディプレスト・クラッド屈折率（ｄｅｐｒｅｓｓｅｄ−ｃｌａｄｄｉｎｇ−ｉｎｄｅｘ）光ファイバにおけるように屈折率プロファイルが多数ステップである光ファイバを含む。
【００２７】
本明細書において、マルチ・モード光ファイバ（ＭＭＦ）は、様々な数の光伝搬モードを有することができる。ＭＭＦの例は、例えば偏光縮退がない状態で２個から約１５個の光伝搬モードを有するように構築されるか、または偏光縮退を伴って４個から約３０個の光伝搬モードを有するように構築される少数モード光ファイバ（ＦＭＦ）を含む。ＭＭＦの他の例には、より多くの光伝搬モードを有する光ファイバが含まれる。
【００２８】
本明細書において、光ファイバの相対的に直交した光伝搬モードは、少なからず異なる強度または振幅のプロファイルを有する。特に、モードが、光ファイバの断面にわたって、定数を超えて異なる振幅または位相のプロファイルを有する場合、２つのモードのそのようなプロファイルは少なからず異なる。例えば、２つのそのような光伝搬モードは、一般に、異なる角運動量固有値または軸・動径固有値（ａｘｉａｌ  ｒａｄｉａｌ  ｅｉｇｅｎｖａｌｕｅ）を有することになる。
【００２９】
ＭＭＦの異なる正規直交光伝搬モードを介した被データ変調光搬送波の伝送は、光伝送が被データ変調光搬送波にもたらす光劣化の量に著しく影響を与えることがある。実際、光減衰、光クロストーク、および非線形光歪みのいずれかまたはすべては、著しくモード依存であることがある。個々の被データ変調光搬送波の各々が、対応しかつ相対的に直交した光伝搬モードで伝送される場合、光伝送中の光劣化のモード依存性は、光受信器での復調にとって被データ変調光搬送波の一部があまりにも劣化した状態になるほど大きくなることがある。
【００３０】
モード依存性の上述の望ましくない影響は、単一の光伝搬モードを介する代わりにＭＭＦの１組の正規直交光伝搬モードを介して各被データ変調光搬送波を光学的に伝送することによって低減することができると発明者等は確信している。この組には、ＭＭＦの２つ以上の相対的に直交した光伝搬モードが含まれることになり、この組の２つ以上の相対的に正規直交した光伝搬モードは、定数を超えて異なる位相および／または強度プロファイルを有すると発明者等は確信している。特に、１組の相対的に直交した光伝搬モード、例えば、少なからず異なる強度および／または位相プロファイルをもつ２つ以上のそのようなモードの全体にわたって個々の被データ変調光搬送波の各々を実質的に拡散させると、光伝送は光劣化の有益な平均化を生成することができると発明者等は確信している。そのような平均化は、被データ変調光搬送波への光劣化の依存性を低下させることができる。この依存性の低減は、さらに、光受信器における受信した光信号のストリームの等化および／または多入力多出力（ＭＩＭＯ）処理を容易にすることができる。
【００３１】
さらに、相対的に直交した光伝搬モードのそのような組のうちの事前選択された組の全体にわたって個々の被データ変調光搬送波の光パワーを実質的に拡散させると、光挿入損を低減させることができる。ＭＭＦのそのような事前選択された組の光伝搬モードの全体にわたってそのような被データ変調光搬送波の光パワーを実質的に均一に拡散させるいくつかの光カプラは、非常に低い光挿入損で光搬送波をＭＭＦの端面に挿入することができる。
【００３２】
図１は、個々の被データ変調光搬送波の各々の光パワーを事前選択された組の光伝搬モードの全体にわたって実質的に拡散させる光通信システム１０を示す。事前選択された組は、強度および／または位相プロファイルが定数を超えて異なる正規直交伝搬モードを有し、例えば、この組は、異なる動径および／または角運動量固有値をもつモードを含むことができる。光通信システム１０は、光送信器１２と、光受信器１４と、光受信器１４を光送信器１２に光学的に接続する全光マルチ・モード・ファイバ・チャンネル１６とを含む。
【００３３】
光送信器１２は、全光マルチ・モード・ファイバ・チャンネル１６の事前選択された組のＭ個の相対的に直交した空間光伝搬モードを１組の初期の被データ変調光搬送波の各々で励振する。初期の被データ変調光搬送波の組は、別個のデジタル・データ・ストリームで変調されたＭ個以下の光搬送波からなる。光送信器１２は、例えば、その組の初期の被データ変調光搬送波でＭ個の光伝搬モードの各々を並列に励振することができる。特に、光送信器１２は、その組の初期の被データ変調光搬送波と全光マルチ・モード・ファイバ・チャンネル１６のＭ個の空間光伝搬モードとの間に線形独立光結合を生成する。光結合の線形独立性のために、別個の初期の被データ変調光搬送波上に変調された別個のデジタル・データ・ストリームは、光受信器１４において、例えばＭＩＭＯ処理および／または等化法を介して再生することができる。
【００３４】
いくつかの実施形態では、光送信器１２は、初期の被データ変調光搬送波のエネルギーを、事前選択された組の相対的に直交した空間光伝搬モードの全体にわたって実質的に均一に拡散させることができる。事前選択された組は、強度および／または位相プロファイルが定数を超えて異なる正規直交光伝搬モード、例えば、異なる動径および／または角運動量固有値をもつ光伝搬モードを含む。例えば、光送信器１２は、初期の被データ変調光搬送波が全光マルチ・モード・ファイバ・チャンネル１６のＭ個の空間光伝搬モードのうちの異なるものを励振して、事前選択された組の全体にわたって、例えば、３デシベル以下だけ、２デシベル以下だけ、またはさらに１デシベル以下だけ変化するエネルギーを有するように構成することができる。様々な初期の被データ変調光搬送波が、そのように実質的に均一なモード拡散を用いて光送信器１２によって伝送される場合、初期の被データ変調光搬送波のうちの異なるものが、全光マルチ・モード・ファイバ・チャンネル１６による伝送中に同様の量の光劣化を受けることができる。
【００３５】
本明細書において、光送信器が被データ変調光搬送波の光を拡散させるＭＭＦの事前選択された組の光伝搬モードは、光ファイバの光伝搬モードの完全系（ｃｏｍｐｌｅｔｅ  ｓｅｔ）であってもよく、そうでなくてもよい。すなわち、事前選択された組は複数の相対的に直交したモードを含むが、そのような組のモードは、ＭＭＦの一方の偏光または両方の偏光のモードに対して完備な基底（ｃｏｍｐｌｅｔｅ  ｂａｓｉｓ）を形成してもよいし、しなくてもよい。事前選択された組の各々はＭＭＦの少なくとも３つの相対的に直交した光伝搬モードを含み、それは少なからず異なる強度および／または位相プロファイルを有する。
【００３６】
いくつかの実施形態では、光送信器１２は波長多重化を組み込むことができる。そのような実施形態では、光送信器１２は、例えば、波長チャネルごとに初期の被データ変調光搬送波のモード拡散を実行することができる。
【００３７】
光受信器１４は、光送信器１２によって励振された事前選択された組のＭ個の個々の光伝搬モードから受け取った一連の光値を選択的にまたは別個に検出することができる。例えば、光受信器１４は、両方ともその全体が参照により本明細書に組み込まれる米国特許出願公開第２０１１０２４３４９０号および米国特許出願公開第２０１１０２４３５７４号のどちらにも説明されているように、個々の空間光伝搬モードから受け取った光を選択的にまたは別個に検出するように構成することができる。
【００３８】
加えて、光受信器１４は、事前選択された組の相対的に直交した空間光伝搬モードの個々のものから受け取った光値の並列測定に基づいて、光送信器１２によって光搬送波上に変調された初期のデジタル・データ・ストリームを評価することができる。光受信器１４において、初期のデジタル・データ・ストリームの評価は、並列に測定された光値のストリームの従来のＭＩＭＯ処理および／または等化を実行することを含むことができる。いくつかの実施形態では、光受信器１４は、さらに、そのようなＭＩＭＯ処理および／または等化を実行する前に微分群速度補償を実行することができる。ＭＩＭＯ処理および／または等化は、例えば、事前選択された組の光伝搬モードのチャネル行列と光送信器１２の光結合行列との積を近似的に対角化することができる。光結合行列は、初期の被データ変調光搬送波の組と事前選択された組のＭ個の空間光伝搬モードとの間の結合を定義する。
【００３９】
全光マルチ・モード・ファイバ・チャネル１６は、ＭＭＦの一連のＮ個の光伝送スパン１８１、１８２、…、１８Ｎと、伝送スパン１８１〜１８Ｎの物理的に隣接する端部を光学的に端接続する（Ｎ−１）個の光処理ユニット２０１、…、２０Ｎ−１とを含む。数Ｎは、１以上の任意の整数とすることができる。各光伝送スパン１８１〜１８Ｎは、例えば、Ｎ個の光伝送スパン１８１〜１８Ｎが同じまたは同様の空間光伝搬モードの正規直交の組を有するように同じタイプのＭＭＦとすることができる。
【００４０】
光伝送スパン１８１〜１８Ｎは、従来のＭＭＦのセグメントで形成することができる。各セグメントは、例えば、従来のステップ・インデックスＭＭＦ、従来のグレーデッド・インデックスＭＭＦ、または従来のディプレスト・クラッド・インデックスＭＭＦとすることができる。
【００４１】
代替として、光伝送スパン１８１〜１８Ｎの１つまたは複数は、ハイブリッドＭＭＦのセグメント、例えば、異なるタイプのＭＭＦが端部融着されたセグメントで形成されたＭＭＦのセグメントで形成することができる。実際、そのようなハイブリッドＭＭＦは、事前選択された組の異なる光伝搬モード間に蓄積される微分群遅延（ＤＧＤ）を、例えば、スパンごとに、減少させるかまたは実質的に補償するように構築することができる。そのようなＤＧＤ補償を備えているそのようなハイブリッドＭＭＦスパンを使用すると、光受信器１４のＭＩＭＯ処理および／または等化を容易にすることができる。
【００４２】
いくつかの実施形態では、各光伝送スパン１８１〜１８Ｎは、少数の空間光伝搬モードしか有しておらず、すなわち、少数モード光ファイバである。一連の光伝送スパン１８１〜１８Ｎの直交空間光伝搬モードの数は、データを光学的に搬送する事前選択された組の相対的に直交した光伝搬モードの数以上である。
【００４３】
光処理ユニット２０１〜２０Ｎ−１は、事前選択された組の光伝搬モード間の光増幅、光分散補償、および蓄積ＤＧＤ補償のうちの１つまたは複数を実行することができる。いくつかの実施形態では、オプションの最後の光処理ユニット２０Ｎは、事前選択された組の光伝搬モード間の残留ＤＧＤを減少または除去するために、かつ／または増幅を行うために、かつ／または光伝搬モードの残留分散を減少または除去するために使用することができる。
【００４４】
ＭＭＦの個々の光伝送スパン１８１〜１８Ｎおよび全光処理ユニット２０１〜２０Ｎは、任意の好適な形態、例えば、当業者に知られている従来の形態を有することができる。個々の光伝送スパン１８１〜１８Ｎおよび／または全光処理ユニット２０１〜２０Ｎは、例えば、２０１２年６月３０日に出願された米国特許出願第１３／５３９３７１号に説明されているように構築することができる。全光処理ユニット２０１〜２０Ｎのうちのいくつかは、２０１２年９月３０日に出願された米国特許出願第１３／６３２０３８号および／または２０１２年８月２４日に出願された米国仮特許出願第６１／６９２７３５号に説明されているようなマルチ・モード光増幅器を含むことができる。この段落で列挙した出願は、それらの全体が参照により本明細書に組み込まれる。
【００４５】
いくつかの実施形態では、光送信器１２および／または光受信器１４は波長多重化を組み込むことができる。そのような実施形態では、光送信器１２は、例えば、光モード拡散を、既に説明したように、波長チャネルごとに実行することができる。同様に、１つまたは複数の波長チャネルについて、光受信器１４は、光送信器１２において光搬送波上に変調された個々のデータ・ストリームを、既に説明したように、波長チャネルごとに評価するように構成することができる。
【００４６】
図２は、図１の光送信器１２を示す。光送信器１２は、Ｍ個の光データ変調器ＯＤＭ１、…、ＯＤＭＭと、Ｍ個の光導波路ＯＷ１、…、ＯＷＭと、光端面カプラ６とを含む。各光データ変調器ＯＤＭ１〜ＯＤＭＭは、光データ変調器ＯＤＭ１〜ＯＤＭＭで受け取られる電気デジタル・データ・ストリームＤＡＴＡ１〜ＤＡＴＡＭによって変調された光搬送波を出力する。各光導波路ＯＷ１〜ＯＷＭは、光データ変調器ＯＤＭ１〜ＯＤＭＭのうちの対応するものを光端面カプラ６に光学的に結合する。光端面カプラ６は、ＭＭＦ、例えば、図１の第１の光伝送スパン１８１のＭＭＦの隣接する近傍の端面３０にＭ個の光導波路ＯＷ１〜ＯＷＭを光学的に結合する。
【００４７】
光端面カプラ６は、各光導波路ＯＷ１〜ＯＷＭによって放出される光ビームから、対応する光スポットを隣接する近傍の端面に生成する。例えば、光端面カプラ６は、前記光スポットを生成するように配列された１組の自由空間光デバイス、例えば、反射器、開口部、および合焦および／またはコリメートするレンズおよび／またはミラー・システムを含むことができる。異なる光導波路ＯＷ１〜ＯＷＭから生成される光スポットは、多くの場合、ＭＭＦ３０の隣接する端面３０で空間的に分離されている中心を有する。光端面カプラ６のいくつかの実施形態では、光スポットは、端面３０で完全にまたは実質的に完全に分離されている。そのような実施形態では、光端面カプラ６は、一般に、ＭＭＦの隣接する端面３０にＭ個の別個の光スポットを生成する。他の実施形態では、光端面カプラ６は、空間的に重なった光スポット、例えば、照光領域のパターンを生成することができる。様々な実施形態では、パターンの個々の光スポットのうちの異なるものは、ＭＭＦの事前選択された組の光伝搬モードの線形的に独立した組合せに結合する。
【００４８】
ＭＭＦの隣接する端面３０において、光スポットの各パターンは、対応する光導波路ＯＷ１〜ＯＷＭと、ＭＭＦの事前選択された組の光伝搬モードとの間の光結合を規定する。特に、光端面カプラ６は、初期の被データ変調光搬送波の各々の、すなわち、光導波路ＯＷ１〜ＯＷＭのうちの１つからの光エネルギーまたはパワーを、事前選択された組の空間光伝搬モードに実質的に均一に拡散させることができる。事前選択された組は、強度および／または位相プロファイルが一定値を超えて異なる正規直交光伝搬モードを含み、例えば、この組は、異なる動径固有値および／または角運動量固有値をもつモードを含むことができる。すなわち、初期の被データ変調光搬送波の各々は、ＭＭＦにおいて光伝搬モードの混合によって移送される。例えば、光端面カプラ６は、光変調器ＯＤＭ１〜ＯＤＭＭからのＭ個の初期の被データ変調光搬送波の各々がＭＭＦのＭ個の相対的に直交した空間光伝搬モードを励振し、光パワーが事前選択された組のモードの全体にわたって、３デシベル以下だけ、２デシベル以下だけ、またはさらに１デシベル以下だけ変化するように構成することができる。
【００４９】
したがって、各光導波路ＯＷ１〜ＯＷＭからの光は、ＭＭＦの事前選択された組の多数の光伝搬モードに実質的に結合する、すなわち、光伝搬モードの混合に結合する。光結合は、光データ変調器ＯＤＭ１〜ＯＤＭＭによって生成される初期の被データ変調光搬送波と、ＭＭＦの事前選択された組の光伝搬モードとの間の光結合行列を規定する。この光結合行列は、一般に、可逆であり、近似的にユニタリである。
【００５０】
図３は、光送信器１２の代替実施形態が図２のＭＭＦの端面３０に形成することができる光スポットのパターンの例を示す。光送信器１２の様々な実施形態は、初期の被データ変調光搬送波の組を図２のＭＭＦの光伝搬モードの異なる事前選択された組に光学的に結合させることができる。加えて、光送信器１２の様々な実施形態は、この組の初期の被データ変調光搬送波の個々のものの光パワーを事前選択された組の光伝搬モードの全体にわたって実質的に均一に拡散させることができる。特に、パターンの各光スポットは、事前選択された組の光伝搬モードの全体にわたって、例えば、３デシベル以下だけ、２デシベル以下だけ、またはさらに１デシベル以下だけ変化する光パワーを励振することができる。事前選択された組の各々は、強度および／または位相プロファイルが少なからず異なる正規直交光伝搬モードを含み、例えば、事前選択された組は、異なる動径固有値および／または角運動量固有値をもつモードを含むことができる。
【００５１】
図３は、それぞれ、３個、６個、８個、１０個、１２個、および１５個の空間的に分離した光スポットを有する代替のパターンＡ、Ｂ、Ｃ、ＤおよびＥを示す。各パターンＡ〜Ｆにおいて、光スポットは黒丸で示される。図３において、光スポットのうちのいくつかを接続する線はパターンＡ〜Ｆの一部ではない。線は様々なパターンＡ〜Ｆの形態の視覚化を支援するために含まれている。
【００５２】
図２のＭＭＦの適切な形態において、各パターンＡ〜Ｆの個々の光スポットは、光コア−光クラッド屈折率差が小さいステップ・インデックス・ファイバであるＭＭＦの光伝搬モードを近似する事前選択された組の直線偏光（ＬＰ）モードを励振する。各パターンＡ〜Ｆにおいて、光スポットの数は、光スポットの組が励振できる光伝搬モードの独立した組合せの数以上である。３個、６個、１０個、１２個、および１５個の光スポットを有するパターンＡ〜Ｆの個々の光スポットは、それぞれ、例えば、以下の事前選択された組のＬＰモードを励振することができる。
｛ＬＰ０１，ＬＰ１１ ａ，ＬＰ１１ ｂ｝，
｛ＬＰ０１，ＬＰ０２，ＬＰ１１ ａ，ＬＰ１１ ｂ，ＬＰ２１ ａ，ＬＰ２１ ｂ｝，
｛ＬＰ０１，ＬＰ０２，ＬＰ１１ ａ，ＬＰ１１ ｂ，ＬＰ２１ ａ，ＬＰ２１ ｂ，ＬＰ３１ ａ，ＬＰ３１ ｂ｝，
｛ＬＰ０１，ＬＰ０２，ＬＰ１１ ａ，ＬＰ１１ ｂ，ＬＰ２１ ａ，ＬＰ２１ ｂ，ＬＰ３１ ａ，ＬＰ３１ ｂ，ＬＰ１２ ａ，ＬＰ１２ ｂ｝，
｛ＬＰ０１，ＬＰ０２，ＬＰ１１ ａ，ＬＰ１１ ｂ，ＬＰ２１ ａ，ＬＰ２１ ｂ，ＬＰ３１ ａ，ＬＰ３１ ｂ，ＬＰ４１ ａ，ＬＰ４１ ｂ，ＬＰ１２ ａ，ＬＰ１２ ｂ｝，
および
｛ＬＰ０１，ＬＰ０２，ＬＰ０３，ＬＰ１１ ａ，ＬＰ１１ ｂ，ＬＰ２１ ａ，ＬＰ２１ ｂ，ＬＰ３１ ａ，ＬＰ３１ ｂ，ＬＰ４１ ａ，ＬＰ４１ ｂ，ＬＰ１２ ａ，ＬＰ１２ｂ，ＬＰ２２ａ，ＬＰ２２ｂ｝
各パターンにおいて、光スポットは、ＭＭＦの軸に中心がある１つまたは複数のリングに対称的にまたは規則的に配列される。そのような配列のいくつかの非限定の例が図３に示されている。パターンにおいて、リングの数は、事前選択された組のＬＰｍｎモードの異なる動径量子数「ｎ」の数値によって与えられる。多重リング・パターンは、動径ＬＰｍｎモードの線形的に独立した組合せを励振することができる。
【００５３】
事前選択された組のＬＰモードの全体にわたって光搬送波のパワーを実質的に均一に拡散させるために、図２のＭＭＦの端面３０に光搬送波によって形成される光スポットは、適切な位置、サイズ、および形状を端面３０に有するべきである。そのような光スポットについて、位置、サイズ、および形状の好ましい値は図２の光端面カプラ６において低いモード依存損失、および／または低い挿入損をもたらすと発明者等は確信している。そのような損失の低いモード依存性は、ＭＭＦへの伝送の前に光搬送波上に変調されたデータ・ストリームを再生するためのＭＩＭＯ処理の能力を増強することができると発明者等は確信している。
【００５４】
光端面カプラ６は、図２の光端面カプラ６によってＭＭＦの端面３０に投影される光スポットと、ＭＭＦの光伝搬モードとの間に実効結合行列（ｅｆｆｅｃｔｉｖｅ  ｃｏｕｐｌｉｎｇ  ｍａｔｒｉｘ）Ｍを定義する。行列Ｍにおいて、各行列要素は、要素に対応する光スポットの電界と光伝搬モードとの間の重なり積分で与えられる。一般に、行列Ｍは形態Ｍ＝ＵΛＶ†に分解することができ、ここで、ＵおよびＶはユニタリ行列であり、Λは、非ゼロ対角エントリがＭの固有値である対角行列である。図２の光端面カプラ６の好ましい実施形態は、対応する行列Λが非ゼロ対角エントリを有しており、非ゼロ対角エントリの比が１に近い大きさである実効結合行列Ｍを有すると発明者等は確信している。光端面カプラ６のそのような好ましい実施形態は、不必要な実験なしに本出願の本開示に基づいて当業者によって容易に見出され得る。
【００５５】
図４および図５は、図２の光端面カプラ６のいくつかの実施形態で実現することができる３−光スポットおよび６−光スポット・パターンの例を示す。これらの例において、図２のＭＭＦの好適な形態では、パターンの個々の光スポットは、それぞれ、その中の光パワーをＬＰモードの組｛ＬＰ０１，Ｌ１１ ａ，ＬＰ１１ ｂ｝および｛ＬＰ０１，ＬＰ０２，ＬＰ１１ ａ，ＬＰ１１ ｂ，ＬＰ２１ ａ，ＬＰ２１ ｂ｝の全体にわたって実質的に均一に拡散することができる。特に、好適なＭＭＦの端面３０にこれらのパターンを生成する光端面カプラは、実質的にユニタリであり、かつ比が１に近い大きさである固有値を有する実効結合行列Ｍを与えることができる。
【００５６】
３つの光スポットの例示のパターン
図４は、ほとんど等しいサイズおよび形状の３つの光スポットが図２のＭＭＦの端面３０の中心のまわりに対称的にまたは規則的に配列されるパターンを示す。特に、異なる光スポットの中心は、端面３０の中心のまわりに１２０度回転することによって置き換えられる。加えて、各光スポットは、ほとんどガウス形の強度プロファイルと円形形状とを有することができる。
【００５７】
このパターンにおいて、３つの光スポットの各光は、図２の光ファイバの端面３０の中心から同じ半径方向距離に配置される。半径方向距離は、各光スポットがほぼ等しいパワーでＭＭＦのＬＰ０１モードおよびＭＭＦのＬＰ１１ ａ＋ｉＬＰ１１ ｂモードを励振するように選択される。ここで、ＬＰ１１ ａ＋ｉＬＰ１１ ｂおよびＬＰ１１ ａ−ｉＬＰ１１ ｂモードは、ＭＭＦの角運動量固有状態である、すなわち、強度がＭＭＦの軸のまわりに軸対称であるモードである。上述の要求条件から、当業者は、図２のＭＭＦの中心からのそのような光スポットの半径方向距離を容易に決定することができることになる。実際、ＬＰ０１モードは、一般に、ＭＭＦの軸で最も高い光強度を有し、ＬＰ１１ ａ＋ｉＬＰ１１ ｂは、一般に、ＭＭＦの軸から非ゼロ半径方向距離で最も高い光強度を有するので、ＬＰ０１モードへのおよびＬＰ１１ ａ＋ｉＬＰ１１ ｂモードへのそのような光スポットの結合の相対強度は前記半径方向距離に依存することを当業者は理解するであろう。
【００５８】
上述のパターンにおいて、各光スポットは、低い挿入損を生成するように構成されたサイズを有することもできる。例えば、近似的なＬＰ０１、ＬＰ１１ ａ、およびＬＰ１１ ｂモードのみを有する、ステップ・インデックス少数モード・ファイバまたはグレーデッド・インデックス少数モード・ファイバである例示のＭＭＦの場合、ＭＭＦの光コアが約１７マイクロメートルの直径を有し、ＭＭＦがＶ＝３．９２の規格化周波数を有するとすれば、各光スポットは標準のシングル・モード・ファイバのモード・フィールド径に近い直径を有することができる。ＭＭＦが少数モード光ファイバである場合、モード・フィールド径は、一般に、ＭＭＦの実効面積の平方根に関連する。
【００５９】
３つの光スポットのパターンを使用して図１の光送信器１２の初期の被データ変調搬送波を図１の全光マルチ・モード・ファイバ・チャンネル１６に結合させると、利益を提供することができる。特に、３つの光スポットは、全光マルチ・モード・ファイバ・チャンネル１６における２つの群速度のみをもつ１組の光伝搬モードに結合することができる。例えば、組｛ＬＰ０１，ＬＰ１１ ａ，ＬＰ１１ ｂ｝では、ＬＰ１１ ａおよびＬＰ１１ ｂモードは、一般に、同じ瞬間群速度を有し、その結果、光伝搬モードの組は２つの異なる群速度でのみ伝搬する。このため、微分群遅延（ＤＧＤ）補償は、スパンごとに、ハイブリッド光ファイバの個々のＭＭＦを形成することによって利用可能とすることができる。例えば、そのようなハイブリッド・ファイバ・スパンは、分散が反対符号を有する第１および第２のＭＭＦセグメントを有することができる。そのようなハイブリッドＭＭＦスパンを使用してＤＧＤ補償を行うと、図１の光受信器１４における受信光信号のＭＩＭＯ処理を支援することができる。
【００６０】
６つの光スポットの例示のパターン
図５は、図２のＭＭＦの端面３０の中心のまわりに配列された６つの光スポットＳ０、Ｓ１、Ｓ２、Ｓ３、Ｓ４、Ｓ５のパターンの一例を概略的に示す。光スポットＳ０〜Ｓ５のパターンは、ＬＰ様光伝搬モードをもつ少数モード光ファイバ（ＦＭＦ）の６つの光伝搬モード上へ最大６つの別個の初期の被データ変調光搬送波について光結合をもたらすことができる。そのようなＦＭＦは、両方の偏光が含まれている場合に１２個の相対的に正規直交したＬＰモードを有することができる。一例として、そのようなＦＭＦは、例えば、約１７マイクロメートル（μｍ）の直径をもつ光コアと、約０．５％の光コア対クラッド屈折率対比とを有することができる。
【００６１】
このパターンにおいて、中央の光スポットＳ０は直径ｄｓ０を有し、５つの外側光スポットＳ０は直径ｄｓ１を有する。５つの外側光スポットＳ１は、半径ｒｃの仮想円Ｃに沿ってほとんど等しい円弧離隔で配置され、仮想円Ｃは、さらに、端面３０の中心に中心がある。外側光スポットＳ１は、直径がｄｃであるカットアウト円形領域（ｃｕｔ−ｏｕｔ  ｃｉｒｃｕｌａｒ  ｒｅｇｉｏｎ）に接触する。カットアウト円形領域は、やはり、中央の光スポットＳ０に中心がある。
【００６２】
このパターンでは、各光スポットＳ０〜Ｓ５は、例えば、ほとんどガウス形の強度プロファイルおよび円形形状を有することができる。
【００６３】
光スポットＳ０〜Ｓ５のパターンは、パラメータｄｓ１、ｒｃ、ｄｓ０、および／またはｄｃに対して好適な値を選択することによって、図２の光モード・カプラ６の結合挿入損および／または損失のモード依存性を低減させるように設計することができる。一例として、上述のＭＭＦへの結合では、光モード・カプラ６は、ｄｓ１が約５．５μｍになるように設定され、ｒｃが約６．６μｍになるように設定され、ｄｓ０が約５．１μｍになるように設定され、ｄｃが約６．６μｍになるように設定される場合、約３ｄＢの結合挿入損および約１ｄＢの損失のモード依存性で形成することができる。結合挿入損のモード依存性は、光伝搬モードがＦＭＦの長さに沿って実質的な混合を受ける場合、さらに緩和され得る。
【００６４】
図２の光モード・カプラ６の６つの光スポットのそのようなパターンは、例えば以下で図６Ａ〜図６Ｂに示すものと同様の構造に基づく自由空間光学系、テーパ化光ファイバ束もしくはフォトニック・ランタン（ｐｈｏｔｏｎｉｃ  ｌａｎｔｅｒｎ）、集積化光デバイス、または３Ｄ導波路デバイスを用いて製作することができる。自由空間光学系に基づく光モード・カプラ４のそのような実施形態では、初期の被データ変調光ビームは、例えば、五角形または他の基礎形状（ｂａｓｉｓ）を有するピラミッド形ミラー・デバイスを使用して、６つの光スポットのパターンを形成するように空間的に組み合わせることができる。ピラミッド形ミラー・デバイスの主軸に沿った中央孔を使用して、パターンの中央の光スポットＳ０を生成することができる。テーパ化ファイバ束またはフォトニック・ランタンに基づいた光モード・カプラの一実施形態では、その６つのシングル・モード光ファイバのテーパ化部分は、図５のパターンに形態が類似している溶融・テーパ化（ｆｕｓｅｄ  ａｎｄ  ｔａｐｅｒｅｄ）構造体ＦＴＳの断面パターンを形成することができる。
【００６５】
３−スポット・モード・カプラをもつ例示の光送信器
図６Ａ〜図６Ｂは、図２のＭＭＦの近傍端面３０に図４の３−スポット・パターンを生成する図２の光送信器１２の例１２Ａを示す。光送信器１２Ａは、図２の光端面カプラ６を構築するために自由空間光学系を使用する。
【００６６】
図６Ａを参照すると、光送信器１２Ａは、３つの光データ変調器２２１、２２２、２２３と、３つの光導波路ＯＷ１、ＯＷ２、ＯＷ３と、ミラーＭ１、Ｍ２、Ｍ３、Ｍ４と、レンズＬ１、Ｌ２を含む合焦および／またはコリメート・レンズ・システムとを含む。
【００６７】
各光変調器２２１、２２２、２２３は、受け取った初期の電気的なデジタル・データ・ストリームＤＡＴＡ−１、ＤＡＴＡ−２、ＤＡＴＡ−３を対応する光搬送波上に変調し、結果として生じる初期の被データ変調光搬送波を対応する光導波路ＯＷ１、ＯＷ２、ＯＷ３に出力する。例えば、シングル・モード光ファイバまたは平面光導波路とすることができる各光導波路ＯＷ１、ＯＷ２、ＯＷ３は、その出力端部を介してミラーＭ１、Ｍ２、Ｍ３に初期の被データ変調光搬送波を送出する。
【００６８】
ミラーＭ１、Ｍ２、Ｍ３、Ｍ４は、初期の被データ変調光搬送波を図２のＭＭＦの近傍端面に結合させる。３つのミラーＭ１、Ｍ２、Ｍ３は、初期の被データ変調光搬送波１、２、３の光ビームの断面によって形成されるパターンを再配列させる。これらの光ビームは、初めは、光導波路ＯＷ１、ＯＷ２、ＯＷ３の端部から同一平面様式で放出される。
【００６９】
２つのミラーＭ１、Ｍ２は、３つの被データ変調光搬送波１、２、３の光ビームが図６Ａの領域ＡＡで同一平面にあるだけでなく平行であるようにこれらの光ビームのうちの２つの方向を変える。初期のデジタル・データ被変調光搬送波１、２、３の光ビームのこの同一平面で平行な配列が、図６Ｂの上部部分に断面で示される。
【００７０】
次に、残りのミラーＭ３、Ｍ４は、図６Ａの領域ＢＢにおいて、他の２つの共通に方向付けられた初期のデジタル・データ被変調光搬送波１、２の光ビームの面の上方または下方に配置されるように中央の初期のデジタル・データ被変調光搬送波３の光ビームを横方向に変位させる。初期のデジタル・データ被変調光搬送波１、２、３の光ビームのこの新しい配列が、図６Ｂの中央部分に示されている。これらの残りのミラーＭ３、Ｍ４は、図６Ａの挿入図に示されるように垂直に配列することができる。
【００７１】
レンズＬ１およびＬ２は、パターンが図２のＭＭＦの端面３０を照明するのに好適なサイズを有するように、ミラーＭ１〜Ｍ４が生成する光ビームのパターンの大きさを変える。例えば、レンズＬ１は、ＢＢ領域からの３つの初期のデジタル・データ被変調光搬送波１、２、３の断面パターンを縮小して、より小さい直径のビーム配列を生成することができる。次に、レンズＬ２は、３つの初期のデジタル・データ被変調光搬送波１、２、３をコリメートして、ＭＭＦの端面３０に前記３つの光ビームからの光の３−スポット構成を形成することができる。初期のデジタル・データ被変調光搬送波１、２、３の光ビームのこの新しい配列が、図６Ｂの下部部分に示されている。
【００７２】
ファイバ・デバイスに基づく例示の光送信器
他の実施形態では、図２の光導波路ＯＷ１〜ＯＷＭおよび光端面カプラ６は、光ファイバ・デバイス、例えば、各入力光ファイバが初期の被データ変調光搬送波のうちの１つを搬送するテーパ化ファイバ束で形成することができる。ファイバ束において、個々の光ファイバは、既に説明したスポット・パターンのうちの１つ、例えば、図３〜図５のパターンのうちの１つに応じて、ファイバ束の溶融・テーパ化区間（ＦＴＳ）に横方向に配列することができる。
【００７３】
いくつかのそのような実施形態では、光ファイバ・デバイスは、元の光ファイバ・コアのアレイがより低い屈折率の光クラッド母材で囲まれる溶融・テーパ化光セグメント（ＦＴＳ）において、Ｍ個のシングル・モード・ファイバＳＭＦ１、…、ＳＭＦＭを断熱的に融合させるフォトニック・ランタンとすることができる。
【００７４】
図７は、Ｍ個の入力シングル・モード光ファイバＳＭＦ１、…、ＳＭＦＭをもつ、すなわち、Ｍ＝３の場合のそのようなフォトニック・ランタン６’の一例を概略的に示す。フォトニック・ランタン６’の溶融・テーパ化セグメントＦＴＳを形成するために、各々の元のシングル・モード・ファイバＳＭＦ１〜ＳＭＦＭのセグメントを、より低い屈折率をもつ単一のガラス細管ＧＣ中に置くことができる。次に、ファイバが充填されたガラス細管を溶融して引っ張り、ＦＴＳセグメントの断熱テーパリングを生成することができる。断熱テーパリングにより、Ｍ個の分離したシングル・モード光コアの光パターンが、テーパ化され溶融されたセグメントＦＴＳで、パワー損失なしに、新しいビーム・パターンに漸進的に変化することができる。断熱テーパリングにより、Ｍ個の局在化したビームの元のパターンは、ＦＴＳセグメントにおいて横方向に重なったビームのパターンに漸進的に変化することができ、それにより、本出願の他のところで論じたように、重なった照光領域のパターンをＭＭＦの端面に生成することができる。図２の光モード・カプラ６のフォトニック・ランタン・ベースの実施形態は、例えば、テーパリングにより、Ｍ個のシングル・モード・ファイバの元の伝搬モードの光が溶融・テーパ化光セグメントＦＴＳの光クラッド・モードに展開しない場合、低いモード依存損失および／または低い結合／挿入損を提供することができる。
【００７５】
集積化デバイスに基づく例示の光送信器
代替として、図２の光導波路ＯＷ１〜ＯＷＭおよび光モード・カプラ６は、Ｍ個の初期の被データ変調光搬送波から所望の光スポット・パターンを生成するように構成された平面光デバイスを使用して実現することができる。
【００７６】
３Ｄ導波路デバイスに基づく例示の光送信器
図８は、図２の光端面カプラ６の一実施形態を提供する３Ｄ導波路デバイス６”示す。３Ｄ導波路デバイス６”は、図２のＭＭＦの近傍端面３０に３つの光スポットのパターンを生成するように構成される。３Ｄ導波路デバイス６”は、光材料、例えば、石英ガラス・ブロックのブロック２の体積部に形成された３つの光コア３ＤＣ１、３ＤＣ３、３ＤＣ３を含む。ブロック２の左側（ＬＳ）とブロック２の右側（ＲＳ）との間で、光コア３ＤＣ１、３ＤＣ３、３ＤＣ３によって形成される断面パターンは滑らかに漸進的に変化する。ブロック２の左側（ＬＳ）では、このパターンの光コア３ＤＣ１〜３ＤＣ３は、３つの光データ変調器（図示せず）につながる光導波路ＯＷ１、ＯＷ２、ＯＷ３への端部結合にとって都合のよいように広く間隔をあけられる。ブロック２の右側（ＲＳ）では、光コア３ＤＣ１〜３ＤＣ３は、ＭＭＦの近傍端面３０に投影されることになる光スポットのパターンの形態の空間パターン（ＳＰ）を有する。
【００７７】
光コア３ＤＣ１〜３ＤＣ３の断面パターンの漸進的変化は、ブロック２のバルク体積部に光コア３ＤＣ１〜３ＤＣ３を形成することによって生成される。特に、３Ｄ導波路デバイスは、合焦された高強度のレーザで光学材料のブロックに刻み込むことができる。例えば、フェムト秒パルスの高強度レーザは、３Ｄ石英ガラス・ブロックの体積部にそのような複雑なパターンの光コアをレーザ書き込みすることができる合焦光ビームを生成するように動作することができる。３Ｄマイクロ製造レーザ書込みを介してそのような３Ｄ導波路デバイスを生成するサービスは、公的に利用可能であり、例えば、そのようなサービスおよび３Ｄ導波路デバイスは０／１４  Ａｌｂａ  Ｉｎｎｏｖａｔｉｏｎ  Ｃｅｎｔｒｅ，Ａｌｂａ  Ｃａｍｐｕｓ，Ｌｉｖｉｎｇｓｔｏｎ，Ｗｅｓｔ  Ｌｏｔｈｉａｎ，スコットランド  ＥＨ５４  ７ＧＡのＯｐｔｏｓｃｒｉｂｅ  Ｌｔｄ．から公的に入手可能である。
【００７８】
図示の光端面カプラ６はＭＭＦの近傍端面３０に３つの光スポットのパターンを生成するように構成されているが、図２の光端面カプラ６のための３Ｄ導波路デバイスは、３つの光スポットを生成するためのデバイスに限定されない。本開示に基づいて、当業者は、図２のＭＭＦの端面３０に光スポットの他のパターンを生成するように構成された３Ｄ導波路デバイスの他の実施形態を容易に製作し、使用することができるであろう。実際、そのような他の実施形態は図３に示したような光スポットのパターンＡ〜Ｆのうちの任意のものを生成するように構成することができることをそのような当業者は理解するであろう。
【００７９】
本出願では、図２の光端面カプラ６のいくつかの実施形態は、光スポットの個々のものが空間的に分離されている光スポットのパターンを生成するように示されているが、本発明はそのような特別なパターンに限定されない。本明細書において、「光スポット」という表現は、光の局在化したスポット、例えば、円形の照光スポットと、より一般的な照光区域との両方を含む。光スポットは、さらに、分断された照光区域の集合とすることさえできる。実際、図７および図８のテーパ化ファイバ束６’および２ｄ導波路デバイス６”のうちのいくつかは、個々の受け取った光ビームからそのような照光領域のパターンを形成するように構築することができる。個々の被データ変調光搬送波を図２のＭＭＦの端面３０に結合させるためにそのような照光領域を使用すると、今までどおり、モードのうちのいくつかが少なからず異なる強度および／または位相プロファイルを有するいくつかの事前選択された組の正規直交伝搬モードの全体にわたって個々の被データ変調光搬送波のパワーを実質的に均一に拡散させることができる。
【００８０】
図１の光通信システム１０のいくつかの実施形態は、例えば、２０１２年９月１５日に出願された米国仮特許出願第第６１／７０１６１３号に説明されているように微分群遅延補償を実現することもできる。この出願は、参照によりその全体が本明細書に組み込まれる。
【００８１】
本発明は、説明、図、および特許請求の範囲に照らして当業者とって明白である他の実施形態を含むように意図される。
【図１】
0005984967.tif 000002
【図２】
0005984967.tif 000003
【図３】
0005984967.tif 000004
【図４】
0005984967.tif 000005
【図５】
0005984967.tif 000006
【図６Ａ】
0005984967.tif 000007
【図６Ｂ】
0005984967.tif 000008
【図７】
0005984967.tif 000009
【図８】
0005984967.tif 000010